(57)【要約】【解決課題】引き出しトレイ収納庫を、急に発進又は停止させたり、移動型の引き出しトレイ収納庫を押して勢いよく廊下の曲がり角を曲がっても、引き出しトレイが収納庫内から飛び出すことがない引き出しトレイ収納庫を提供すること。【解決手段】複数の引き出しトレイを多段の棚状に収納する収納庫に取り付けられ、引き出しトレイを支持するための引き出しトレイ支持部材であって、引き出しトレイに形成されているフランジ部をガイドするガイド部を有し、該ガイド部は、上側ガイド部と下側ガイド部とからなり、該上側ガイド部は、下側ガイド部の平坦面に対向する上側平坦面を有し、該下側ガイド部は、該上側平坦面に対向する下側第一平坦面を有し、該下側ガイド部の両端には、奥側に該下側第一平坦面の位置より上に上端が突出している下側ストッパーが、手前側に外側に向けて下り傾斜の傾斜面が、形成されていること、を特徴とする引き出しトレイ支持部材。【選択図】図１
2015019730.tif 000002
【特許請求の範囲】
【請求項１】
複数の引き出しトレイを多段の棚状に収納する収納庫に取り付けられ、引き出しトレイを支持するための引き出しトレイ支持部材であって、
引き出しトレイに形成されているフランジ部をガイドするガイド部を有し、
該ガイド部は、上側ガイド部と下側ガイド部とからなり、
該上側ガイド部は、下側ガイド部の平坦面に対向する上側平坦面を有し、
該下側ガイド部は、該上側平坦面に対向する下側第一平坦面を有し、
該下側ガイド部の両端には、奥側に該下側第一平坦面の位置より上に上端が突出している下側ストッパーが、手前側に外側に向けて下り傾斜の傾斜面が、形成されていること、
を特徴とする引き出しトレイ支持部材。
【請求項２】
前記下側ガイド部の前記下側第一平坦面と前記下側ストッパー及び前記傾斜面との間、且つ、前記下側第一平坦面の位置より低い位置に、下側第二平坦面が形成されていることを特徴とする請求項１記載の引き出しトレイ支持部材。
【請求項３】
前記上側ガイド部の両端近傍に、トレイ角度調節凸部が形成されていることを特徴とする請求項１又は２いずれか１項記載の引き出しトレイ支持部材。
【請求項４】
平面視が矩形の引き出しトレイであって、
該矩形の対向する２組の２辺のうち、少なくとも１組の対向する２辺に、側面から外側に張り出すフランジ部が形成されており、
該フランジ部の両端近傍の幅が、中央部から両端近傍までの幅に比べ大きくなっていること、
を特徴とする引き出しトレイ。
【請求項５】
請求項１〜３いずれか１項記載の引き出しトレイ支持部材が取り付けられていることを特徴とする引き出しトレイ収納庫。
【請求項６】
前記引き出しトレイ収納庫が、移動型の引き出しトレイ収納庫であることを特徴とする請求項５記載の引き出しトレイ収納庫。
【請求項７】
前記移動型の引き出しトレイ収納庫が、病院用ワゴン車であることを特徴とする請求項６記載の引き出しトレイ収納庫。
【請求項８】
前記移動型の引き出しトレイ収納庫が、商品運搬用ワゴン車であることを特徴とする請求項６記載の引き出しトレイ収納庫。
【発明の詳細な説明】
【技術分野】
【０００１】
本発明は、引き出しトレイを多段状に多数収納するための収納庫、その収納庫に取り付けられ、引き出しトレイを支持するための引き出しトレイ支持部材、及び引き出しトレイ収納庫に収納される引き出しトレイに関する。
特に、本発明は、引き出しトレイを多段状に収納して、引き出しトレイに載せられた運搬物を運搬するための移動型の引き出しトレイ収納庫、例えば、病院で、薬、医療用具等を運搬するための病院用ワゴン車であって、薬、医療用具等が載せられたトレイを多段状に収納して運搬するための病院用のワゴン車や、スーパーマーケット、大規模小売店舗等の商品陳列、運搬、移動などに用いられる商品運搬用ワゴン車であって、商品等が載せられたトレイを多段状に収納して運搬するための商品運搬用のワゴン車、それに取り付けられる引き出しトレイ支持部材及びそれに収納される引き出しトレイに関する。
【背景技術】
【０００２】
病院等の施設では、薬、医療用具等を運搬するために、薬、医療用具等の運搬物が載せられたトレイが、多段状に収納される移動型の引き出しトレイ収納庫（病院用ワゴン）が用いられる。また、スーパーマーケット、大規模小売店舗等では、商品の陳列、運搬、移動などをするために、商品が載せられたトレイが、多段状に収納される移動型の引き出しトレイ収納庫（商品運搬用ワゴン）が用いられる。
【０００３】
この移動型の引き出しトレイ収納庫を、急に発進又は停止させたり、移動型の引き出しトレイ収納庫を押して勢いよく廊下の曲がり角を曲がったりすると、慣性力によって、引き出しトレイが収納庫内から飛び出してしまう。
【０００４】
ところが、病院等の施設では、これらの運搬物を迅速に運搬する必要があるため、ゆっくりと移動型の引き出しトレイ収納庫を発信、停止又は移動させることができないという事情がある。そのため、上記のように、引き出しトレイが収納庫内から飛び出してしまうおそれがある。また、スーパーマーケット、大規模小売店舗等では、作業効率という点からは、商品の運搬、移動などが速ければ速いほど好ましいが、商品の運搬、移動などを速くするために、移動型の引き出しトレイ収納庫を、素早く、発信、停止又は移動させると、同様な問題が起こり得る。
【０００５】
また、収納庫内から物を取り出すために、トレイを引くときに、勢いよくトレイを引いてしまうと、トレイが収納庫内の支持レール等からはずれて、トレイごと収納庫外に飛び出してしまうおそれがある。
【０００６】
また、引き出しトレイが多段状に収納されている引き出しトレイ収納庫では、収納庫の上方の段に収納されているトレイから、物を取り出すときに、取り出し難いという問題もある。
【発明の概要】
【発明が解決しようとする課題】
【０００７】
従って、本発明の課題は、引き出しトレイ収納庫を、急に発進又は停止させたり、引き出しトレイ収納庫を押して勢いよく廊下の曲がり角を曲がっても、引き出しトレイが収納庫内から飛び出すことがない引き出しトレイ収納庫を提供することにある。また、本発明の課題は、収納庫内から収納物を取り出すために、勢いよくトレイを引いても、トレイが収納庫内の支持部材からはずれて、トレイごと収納庫外に飛び出してしまうことがなく、且つ、トレイから収納物を取り出し易い引き出しトレイ収納庫を提供することにある。
【課題を解決するための手段】
【０００８】
上記本発明の課題は、以下の本発明により解決される。
すなわち、本発明（１）は、複数の引き出しトレイを多段の棚状に収納する収納庫に取り付けられ、引き出しトレイを支持するための引き出しトレイ支持部材であって、
引き出しトレイに形成されているフランジ部をガイドするガイド部を有し、
該ガイド部は、上側ガイド部と下側ガイド部とからなり、
該上側ガイド部は、下側ガイド部の平坦面に対向する上側平坦面を有し、
該下側ガイド部は、該上側平坦面に対向する下側第一平坦面を有し、
該下側ガイド部の両端には、奥側に該下側第一平坦面の位置より上に上端が突出している下側ストッパーが、手前側に外側に向けて下り傾斜の傾斜面が、形成されていること、
を特徴とする引き出しトレイ支持部材を提供するものである。
【０００９】
また、本発明（２）は、平面視が矩形の引き出しトレイであって、
該矩形の対向する２組の２辺のうち、少なくとも１組の対向する２辺に、側面から外側に張り出すフランジ部が形成されており、
該フランジ部の両端近傍の幅が、中央部から両端近傍までの幅に比べ大きくなっていること、
を特徴とする引き出しトレイを提供するものである。
【００１０】
また、本発明（３）は、本発明（１）の引き出しトレイ支持部材が取り付けられていることを特徴とする引き出しトレイ収納庫を提供するものである。
【発明の効果】
【００１１】
本発明によれば、移動型の引き出しトレイ収納庫を、急に発進又は停止させたり、移動型の引き出しトレイ収納庫を押して勢いよく廊下の曲がり角を曲がっても、引き出しトレイが収納庫内から飛び出すことがない引き出しトレイ収納庫を提供することができる。また、本発明の課題は、収納庫内から収納物を取り出すために、勢いよくトレイを引いても、トレイが収納庫内の支持部材からはずれて、トレイごと収納庫外に飛び出してしまうことがなく、且つ、トレイから収納物を取り出し易い引き出しトレイ収納庫を提供することができる。
【図面の簡単な説明】
【００１２】
【図１】本発明の引き出しトレイ収納庫、本発明の引き出しトレイ支持部材及び本発明の引き出しトレイの形態例を示す模式的な斜視図である。
【図２】図１に示す引き出しトレイ支持部材のガイド部の模式図である。
【図３】図１に示す引き出しトレイの模式的である。
【図４】引き出しトレイを、ガイド部に差し入れる様子を示す模式図である。
【図５】引き出しトレイを、ガイド部に差し入れる様子を示す模式図である。
【図６】引き出しトレイを、ガイド部から引き出す様子を示す模式図である。
【図７】引き出しトレイを、ガイド部から引き出す様子を示す模式図である。
【図８】引き出しトレイを、ガイド部から引き出す様子を示す模式図である。
【図９】引き出しトレイを、ガイド部から引き出す様子を示す模式図である。
【図１０】引き出しトレイを、ガイド部から取り外す様子を示す模式図である。
【図１１】引き出しトレイを、収納庫内に差し入れるとき、収納庫内から引き出すとき、又は収納庫から取り外すときの下側ガイド部の端部と引き出しトレイのフランジ部との位置関係を示す拡大模式図である。
【図１２】ガイド部の形態例を示す模式図である。
【図１３】引き出しトレイの形態例を示す模式図である。
【発明を実施するための形態】
【００１３】
本発明の引き出しトレイ収納庫、本発明の引き出しトレイ支持部材及び本発明の引き出しトレイについて、図１〜図１１を参照して説明する。図１は、本発明の引き出しトレイ収納庫、本発明の引き出しトレイ支持部材及び本発明の引き出しトレイの形態例を示す模式的な斜視図である。図２は、図１に示す引き出しトレイ支持部材のガイド部の模式図であり、（Ａ）は斜視図、（Ｂ）は正面図、（Ｃ）は側面図である。図３は、図１に示す引き出しトレイの模式的であり、（Ａ）は斜視図、（Ｂ）は正面図、（Ｃ）は平面図である。図４〜図１０は、引き出しトレイを、ガイド部に差し入れる、ガイド部から引き出し、又はガイド部から取り外す様子を示す模式図である。図１１は、引き出しトレイを、収納庫内に差し入れるとき、収納庫内から引き出すとき、又は収納庫から取り外すときの下側ガイド部の端部と引き出しトレイのフランジ部との位置関係を示す拡大模式図である。なお、図４〜図１１では、説明の都合上、引き出しトレイにより隠れるガイド部を、点線で示した。
【００１４】
図１に示すように、引き出しトレイ収納庫１は、引き出しトレイ２０を多段の棚状に収納する収納庫である。引き出しトレイ収納庫１は、収納庫の枠となる枠体３と、枠体３に取り付けられている一対の引き出しトレイ支持部材２ａ、２ｂと、からなる。また、引き出しトレイ収納庫１には、車輪４が取り付けられている。そのため、引き出しトレイ収納庫１は、移動型の引き出しトレイ収納庫である。
【００１５】
引き出しトレイ支持部材２は、引き出しトレイ２０を収納庫内に収納するときに、引き出しトレイ２０に形成されているフランジ部２１を収納庫内にガイドするガイド部１０を有する。
【００１６】
図２に示すように、ガイド部１０は、上側ガイド部１１と、下側ガイド部１２と、からなる。上側ガイド部１１は、下側ガイド部の第一平坦面１４に対向する上側平坦面１３を有する。上側ガイド部１１の端部近傍には、トレイ角度調節凸部１８が形成されている。また、下側ガイド部１２は、上側平坦面１３に対向する下側第一平坦面１４を有する。下側ガイド部１２の両端には、奥側に下側第一平坦面１４の位置より上に上端が突出する下側ストッパー１６が、手前側に外側に向けて下り傾斜の傾斜面１７が、形成されている。下側ガイド部１２の下側第一平坦面１４と下側ストッパー１６及び傾斜面１７との間、且つ、下側第一平坦面１４の位置より低い位置に、下側第二平坦面１５が形成されている。なお、本発明において、ガイド部の端とは、ガイド部の長手方向を左右方向としたときの左右の両端のことであり、図２における正面図（Ｂ）の左右方向の両端をガイド部の端と呼ぶ。また、本発明において、ガイド部の奥側とは、引き出しトレイ側からガイド部を見たときの奥側のことであり、図３における側面図（Ｃ）の左方向をガイド部の奥方向と呼ぶ。また、本発明において、ガイド部の手前側とは、引き出しトレイ側からガイド部を見たときの手前側のことであり、図３における側面図（Ｃ）の右方向をガイド部の手前方向と呼ぶ。また、本発明において、外側に向けて下り傾斜とは、ガイド部の長手方向を左右方向としたときに、左側については、左端に近づくに従って低くなっていることを指し、右側については、右端に近づくに従って低くなっていることを指す。
【００１７】
上側ガイド部１１と下側ガイド部１２は、引き出しトレイ２０のフランジ部２１が、収納庫内にガイドされるように、適切な間隔を開けて形成される。
【００１８】
図３に示すように、引き出しトレイ２０は、平面視が矩形の引き出しトレイである。そして、引き出しトレイ２０の矩形の４辺全てに、側面から外側に張り出すフランジ部２１が形成されている。このフランジ部２１は、両端近傍の幅が、中央部から両端近傍までの幅に比べ大きくなっている、すなわち、側面からの張り出し幅が大きいフランジ広幅部２３と、側面からの張り出し幅がフランジ広幅部２３よりは小さいフランジ狭幅部２２と、からなり、フランジ狭幅部２２が中側に、フランジ広幅部２３がフランジ狭幅部２２の両外側に形成されている。なお、本発明において、フランジ部の端とは、フランジ部の長手方向を左右方向としたときの左右の両端であり、図３における正面図（Ｂ）の左右方向の両端をフランジ部の端と呼ぶ。
【００１９】
そして、引き出しトレイ収納庫１では、引き出しトレイ収納庫１に取り付けられている片側の引き出しトレイ支持部材２ａのガイド部１０の上側ガイド部１１と下側ガイド部１２とにより、引き出しトレイ２０の片側のフランジ部２１がガイドされ、且つ、引き出しトレイ収納庫１のもう片側の引き出しトレイ支持部材２ｂのガイド部１０の上側ガイド部１１と下側ガイド部１２とにより、引き出しトレイ２０のもう片側のフランジ部２１がガイドされる。引き出しトレイ収納庫１内に引き出しトレイ２０が収納されている状態では、両側の下側ガイド部１２で、引き出しトレイ２０の両側のフランジ部２１が支持されている。
【００２０】
次いで、引き出しトレイ２０を、引き出しトレイ収納庫１内に差し入れる方法、引き出しトレイ２０を、引き出しトレイ収納庫１内から引き出す方法、及び引き出しトレイ２０を、引き出しトレイ収納庫１から取り外す方法について、説明する。なお、図４（Ａ）、図５（Ａ）、図６（Ａ）、図７（Ａ）、図８（Ａ）、図９（Ａ）及び図１０（Ａ）では、説明の都合上、片側のガイド部と引き出しトレイとのみを示しているが、実際は、引き出しトレイの両側にガイド部が存在する。
【００２１】
引き出しトレイ収納庫１への引き出しトレイ２０の差し入れであるが、図４に示すうように、横方向から、上側ガイド部１１と下側ガイド部１２との上下方向の隙間に、引き出しトレイ２０のフランジ部２１を入れていき、図５に示すように、フランジ部２１を、下側ガイド部１２の両下側ストッパー１６間に収める。このことにより、フランジ部２１が、下側ガイド部１２で支持されて、引き出しトレイ２０が、引き出しトレイ収納庫１内に収納される。
【００２２】
図５に示すように、引き出しトレイ２０のフランジ部２１が、下側ガイド部材１２の両下側ストッパー１６の間に収まっている状態では、下側ガイド部材１２の下側第一平坦面１４の上に、フランジ部２１が載っているので、フランジ部２１の下面の上下方向の位置は、下側第一平坦面１４の位置となる。ここで、下側ガイド部１２では、下側第一平坦面１４の位置より上に上端が突出するように、下側ストッパー１６が形成されているので、下側ストッパー１６の上端の上下方向の位置は、下側第一平坦面１４の位置より上にある。そのため、フランジ部２１と下側ストッパー１６の上下方向の位置関係については、フランジ部２１の下面の位置が、下側ストッパー１６の上端の位置より下になっている。そして、フランジ部２１と下側ストッパー１６の左右方向の位置関係については、図１１（Ａ）に示すように、フランジ広幅部２３の外側に、下側ストッパー１６があるので、フランジ部２１が下側ストッパー１６より外側に移動することが妨げられる。そのため、引き出しトレイ２０が引き出しトレイ収納庫１内から外に飛び出すことが防がれる。
【００２３】
引き出しトレイ収納庫１内からの引き出しトレイ２０の引き出しであるが、先ず、図６に示すように、フランジ部２１の端を、下側ストッパー１６の上端より上に持ち上げから、フランジ広幅部２３を、下側ストッパー１６と上側ガイド部１１との隙間を通すようにして、引き出しトレイ２０を外側へ移動させて、図７に示すように、フランジ広幅部２３を、下側ストッパー１６の上を乗り越えさせる。
【００２４】
このとき、フランジ狭幅部２２は、フランジ広幅部２３より幅が狭くなっているので、フランジ狭幅部２２が形成されている部位には、下側ストッパー１６を通過させるための切欠き部２４が存在する。そのため、図１１（Ｂ）に示すように、フランジ広幅部２３が、下側ストッパー１６の上を乗り越えた後は、下側ストッパー１６は、切欠き部２４に入ることになる。
【００２５】
次いで、引き出しトレイ２０を更に、収納庫の外側へ移動させて、引き出しトレイ収納庫１内から引き出す。このとき、下側ストッパー１６は、切欠き部２４を通ることになる。
【００２６】
そして、図８に示すように、下側ストッパー１６に、フランジ広幅部２３の内側端が当たるところまで、引き出しトレイ２０を引き出しトレイ収納庫の外側に引き出す。図８に示す状態では、下側ガイド部材１２の下側第二平坦面１５の上に、フランジ広幅部２３が載っているので、フランジ広幅部２３の下面の上下方向の位置は、下側第二平坦面１５の位置となる。ここで、下側ガイド部１２では、下側第一平坦面の上下方向の位置より低い位置に下側第二平坦面１５が形成されており、且つ、下側第一平坦面１４の位置より上に上端が突出するように、下側ストッパー１６が形成されているので、下側ストッパー１６の上端の上下方向の位置は、下側第二平坦面１５の位置より上にある。そのため、フランジ広幅部２３と下側ストッパー１６の上下方向の位置関係については、フランジ広幅部２３の下面の位置が、下側ストッパー１６の上端の位置より下になっている。そして、フランジ広幅部２３と下側ストッパー１６の左右方向の位置関係については、図１１（Ｃ）に示すように、フランジ広幅部２３より内側に、下側ストッパー１６があるので、フランジ広幅部２３が下側ストッパー１６より外側に移動することが妨げられる。そのため、引き出しトレイ２０を引き出すときに、引き出しトレイ２０が、引き出しトレイ支持部から外れてしまうことが防がれる。
【００２７】
次いで、図９に示すように、下側ストッパー１６とフランジ広幅部２３の内側端との接点２５を中心に、引き出しトレイ２０の中が外側に向くように、引き出しトレイ２０を傾ける。このとき、下側ガイド部１２の下側ストッパー１６の手前側には、外側に向けて傾斜する傾斜面１７が形成されており、傾斜面１７の上にフランジ狭幅部２２が位置しているので、下側ストッパー１６とフランジ広幅部２３の内側端との接点２５を中心にフランジ狭幅部２１が下側に傾くことができ、且つ、上側ガイド部１１と下側ガイド部１２とは、間隔を開けて形成されているので、フランジ広幅部２３の外側の端部は、下側ガイド部１２の下側第二平坦面１５側から、下側ストッパー１６とフランジ広幅部２３の内側端との接点を中心に円弧状に、上側ガイド部１１に向けて動くことができる。そして、フランジ広幅部２３の外側の端部は、上側ガイド部１１に形成されているトレイ角度調節凸部１８に接するまで、円弧状に動くので、この状態まで、引き出しトレイ２０は傾くことができる。なお、引き出しトレイ２０の傾き方であるが、引き出しトレイ２０を引き出す者から見たときには、引き出しトレイ２０の手前側が下に下がり、引き出し者の方に、トレイの中が向くように、引き出しトレイ２０が傾く。そのため、引き出しトレイ収納庫の上方の段に収納されている引き出しトレイからでも、引き出しトレイの中の収納物を取り出し易くなる。また、引き出し者の方に、トレイの中が向いているので、どの段の引き出しトレイからも、中の収納物が取り出し易くなる。
【００２８】
引き出しトレイ収納庫１からの引き出しトレイ２０の取り外し方であるが、図１０に示すように、フランジ部２１の端を上に持ち上げて、引き出しトレイ２０の中が内側に向くように、引き出しトレイ２０を傾ける。このとき、フランジ広幅部２３の内側端の位置が、下側ストッパー１６より上になるまで、引き出しトレイ２０を傾ける。そして、フランジ広幅部２３の内側端の位置が、下側ストッパー１６よりも上になったら、引き出しトレイ２０を外側に引き抜くことにより、ガイド部１０からフランジ部２１が外れて、引き出しトレイ収納庫１から引き出しトレイ２０を取り外すことができる。このとき、図１１（Ｄ）に示すように、フランジ広幅部２３は、下側ストッパー１６の上を越えて、上側ガイド１１と下側ストッパー１６との間を抜ける。
【００２９】
本発明の引き出しトレイ支持部材は、複数の引き出しトレイを多段の棚状に収納する収納庫に取り付けられ、該引き出しトレイを支持するための引き出しトレイ支持部材であって、
引き出しトレイに形成されているフランジ部をガイドするガイド部を有し、
該ガイド部は、上側ガイド部と下側ガイド部とからなり、
該上側ガイド部は、下側ガイド部の平坦面に対向する上側平坦面を有し、
該下側ガイド部は、該上側平坦面に対向する下側第一平坦面を有し、
該下側ガイド部の両端には、奥側に該下側第一平坦面の位置より上に上端が突出する下側ストッパーが、手前側に外側に向けて下り傾斜の傾斜面が、形成されていること、
を特徴とする引き出しトレイ支持部材である。
【００３０】
本発明の引き出しトレイ支持部材は、本発明の引き出しトレイ収納庫に取り付けられ、収納庫内で本発明の引き出しトレイを支持する部材である。
【００３１】
本発明の引き出しトレイ支持部材は、本発明の引き出しトレイに形成されているフランジ部をガイドするガイド部を有する。
【００３２】
ガイド部は、上側ガイド部と、下側ガイド部と、からなる。上側ガイド部は、下側ガイド部の第一平坦面に対向する上側平坦面を有する。また、下側ガイド部は、上側平坦面に対向する下側第一平坦面を有する。下側ガイド部の両端には、奥側に下側第一平坦面の位置より上に上端が突出する下側ストッパーが、手前側に外側に向けて下り傾斜の傾斜面が、形成されている。
【００３３】
図２に示す形態例では、下側ガイド部の下側第一平坦面と下側ストッパーとの間に、下側第二平坦面が形成されているが、本発明はこれに限定されるものではなく、図１２に示す形態例のように、下側第二平坦面が形成されていなくてもよい。図１２に示す形態例では、下側ガイド部３１は、上側平坦面に対向する下側第一平坦面１４を有し、下側ガイド部３１の両端には、奥側に下側第一平坦面１４の位置より上に上端が突出する下側ストッパー１６が、手前側に外側に向けて下り傾斜の傾斜面１７が形成されており、この下側ストッパー１６及び傾斜面１７の位置まで、下側第一平坦面１４が形成されている。
【００３４】
そして、本発明の引き出しトレイ支持部材は、下側ガイド部の下側第一平坦面と下側ストッパー及び傾斜面との間に、下側第一平坦面より低い位置に下側第二平坦面が形成されていることが、引き出しトレイを引き出すときに、引き出しトレイがガイド部からはずれて、収納庫外に飛び出すのを防ぐという効果が高まり、また、引き出しトレイを引き出した後、引き出しトレイを傾けるときに、フランジ広幅部が当たる位置の上側ガイド部と下側ガイド部との間隔を大きく取れるので、傾き角を大きくすることができる点で、好ましい。下側第二平坦面の左右方向の長さは、フランジ広幅部の左右方向の長さより長いことが好ましい。
【００３５】
また、図２に示す形態例では、上側ガイド部１１の端部近傍には、トレイ角度調節凸部１８が形成されているが、本発明はこれに限定されるものではなく、図１２に示す形態例のように、トレイ角度調節凸部が形成されていなくてもよい。図１２に示す形態例では、上側ガイド部３２は、下側ガイド部の第一平坦面１４に対向する上側平坦面１３を有する。
【００３６】
そして、トレイ角度調節凸部の形成位置又は高さを調節することにより、引き出しトレイを引き出した後、引き出しトレイを傾けるときの傾き角度を調節することができる。そのため、本発明の引き出しトレイ支持部材は、トレイ角度調節凸部が形成されていることが、引き出しトレイを引き出した後、引き出しトレイを傾けるときに、トレイの傾き角度を調節し易くなる点で、好ましい。
【００３７】
図１に示す形態例では、トレイ支持部材は、全てのガイド部が一体となっているトレイ支持部材であるが、本発明のこれに限定されるものではない。例えば、本発明のトレイ支持部材としては、一対の上側ガイド部と下側ガイド部からなる形態例が挙げられる。このような形態例の場合は、この一対の上側ガイド部と下側ガイド部からなる形態例を多数個用意し、それらを収納庫の適切な位置に上下方向に並べて取り付ける。
【００３８】
本発明の引き出しトレイは、平面視が矩形の引き出しトレイであって、
該矩形の対向する２組の２辺のうち、少なくとも１組の対向する２辺に、側面から外側に張り出すフランジ部が形成されており、
該フランジ部の両端近傍幅が、中央部から両端近傍までの幅に比べ大きくなっていること、
を特徴とする引き出しトレイである。
【００３９】
本発明の引き出しトレイは、平面視の形状が矩形である。つまり、本発明の引き出しトレイは、収納物が収納される部位を上から見たときの形状が矩形である。
【００４０】
本発明の引き出しトレイでは、矩形の対向する２組の２辺のうち、少なくとも１組の対向する２辺に、側面から外側に張り出すフランジ部が形成されている。フランジ部には、幅（側面から外側に張り出す長さ）が、異なる２つの部分があり、フランジ部の両端近傍の幅が、中央部から両端近傍までの幅に比べ大きくなっている。
【００４１】
図３に示す形態例では、矩形の引き出しトレイの４辺の全てに、フランジ部が形成されているが、本発明はこれに限定されるものではない。本発明の引き出しトレイは、矩形の対向する２組の２辺のうち、少なくとも１組の対向する２辺に、フランジ部が形成されていればよい。つまり、本発明引き出しトレイは、矩形の対向する２組の２辺のうちの１組の対向する２辺に、フランジ部が形成されているか、又は矩形の４辺全てにフランジ部が形成されている。矩形の対向する２組の２辺のうち、少なくとも１組の対向する２辺にフランジ部が形成されている形態例としては、図１３に示す引き出しトレイが挙げられる。図１３に示す引き出しトレイ３３では、矩形の１組の対向する２辺に、側面から外側に張り出すフランジ部２１が形成されている。このフランジ部２１は、両端近傍の幅が、中央部から両端近傍までの幅に比べ大きくなっている、すなわち、側面からの張り出し幅が大きいフランジ広幅部２３と、側面からの張り出し幅がフランジ広幅部２３よりは小さいフランジ狭幅部２２と、からなり、フランジ狭幅部２２が中側に、フランジ広幅部２３がフランジ狭幅部２２の両外側に形成されている。
【００４２】
本発明の引き出しトレイ収納庫は、前記本発明の引き出しトレイ支持部材が取り付けられていることを特徴とする引き出しトレイ収納庫である。
【００４３】
本発明の引き出しトレイ収納庫は、複数の本発明の引き出しトレイを多段の棚状に収納する収納庫である。
【００４４】
図１に示す形態例は、移動型の収納庫であるが、本発明の引き出しトレイ収納庫は、これに限定されるものではなく、移動型であっても、固定型であってもよい。そして、本発明の引き出しトレイ収納庫は、移動型であること、すなわち、ワゴン車であることが好ましい。特に、本発明の引き出しトレイ収納庫は、病院用のワゴン車であることが好ましい。また、本発明の引き出しトレイ収納庫は、スーパーマーケット、大規模小売店舗等の商品陳列、運搬、移動などに用いられる商品運搬用のワゴン車であることが好ましい。
【符号の説明】
【００４５】
１            引き出しトレイ収納庫
２ａ、２ｂ    引き出しトレイ支持部材
３            枠体
４            車輪
１０          ガイド部
１１、３２    上側ガイド部
１２、３１    下側ガイド部
１３          上側平坦面
１４          下側第一平坦面
１５          下側第二平坦面
１６          下側ストッパー
１７          傾斜面
１８          トレイ角度調節凸部
２０、３３    引き出しトレイ
２１          フランジ部
２２          フランジ狭幅部
２３          フランジ広幅部
２４          切欠き部
２５          接点
【図１】
2015019730.tif 000003
【図２】
2015019730.tif 000004
【図３】
2015019730.tif 000005
【図４】
2015019730.tif 000006
【図５】
2015019730.tif 000007
【図６】
2015019730.tif 000008
【図７】
2015019730.tif 000009
【図８】
2015019730.tif 000010
【図９】
2015019730.tif 000011
【図１０】
2015019730.tif 000012
【図１１】
2015019730.tif 000013
【図１２】
2015019730.tif 000014
【図１３】
2015019730.tif 000015